(57)【要約】【課題】  本発明は、運搬時にプリンタから着脱しなくても良く操作性が優れていると共に、スペース効率に優れたプリンタの給紙機構を提供すること。【解決手段】  複数枚の記録用紙Ｋを収納可能な給紙トレイ１と、この給紙トレイ１に収納した記録用紙ＫをプリンタＰ側の給紙ローラ６に圧接可能な圧接板２とを備え、給紙トレイ１は、給紙ローラ６が位置するプリンタＰの一側面Ｐ１側に形成した支持部（図示せず）に支持されて、プリンタＰの一側面Ｐ１を開閉する方向に給紙トレイ１が支持部を支点として回動操作可能になっている。【選択図】        図１
2007063004.tif 000002
【特許請求の範囲】
【請求項１】
複数枚の記録用紙を収納可能な給紙トレイと、この給紙トレイに収納した前記記録用紙をプリンタ側の給紙ローラに圧接可能な圧接板とを備え、
前記給紙トレイは、前記給紙ローラが位置する前記プリンタの一側面側に形成した支持部に支持されて、前記プリンタの一側面を開閉する方向に前記給紙トレイが前記支持部を支点として回動操作可能になっていることを特徴とするプリンタの給紙機構。
【請求項２】
前記給紙トレイは、前記記録用紙を内部の収納部に挿入可能な用紙挿入口が底板と上板と側板とに囲まれて形成され、前記圧接板は、前記給紙ローラと対向する一端部側が前記収納部に配設した弾性部材により前記給紙ローラ側に弾性付勢されると共に、他端部側が前記用紙挿入口近傍の前記底板に回動自在に片持ち支持され、前記給紙トレイは、前記プリンタの一側面を開く前記回動操作に連動して、前記圧接板の前記一端部側が前記弾性部材の付勢力に抗して前記底板側に移動し、前記一側面を閉じる前記回動操作に連動して、前記圧接板が前記弾性部材の付勢力で前記給紙ローラ側に移動することを特徴とした請求項１記載のプリンタの給紙機構。
【請求項３】
前記給紙トレイには、前記圧接板を前記弾性部材の付勢力に抗して底板側に移動操作可能なリリース部材が配設され、前記一側面を開く前記給紙トレイの前記回動操作に連動して、前記リリース部材が前記圧接板を前記底板側に移動操作することを特徴とする請求項２記載のプリンタの給紙機構。
【請求項４】
前記給紙トレイの底板側に移動した前記圧接板は、前記リリース部材によって動きが規制されてロック状態となることを特徴とする請求項３記載のプリンタの給紙機構。
【請求項５】
前記リリース部材は、前記プリンタ側に固着した固定ギアに噛み合うリリースギアを有し、このリリースギアは、前記給紙トレイの前記側板に回転自在に支持されると共に、前記圧接板を前記底板側に移動操作可能な操作レバーが一体形成されていることを特徴とする請求項３、又は４記載のプリンタの給紙機構。
【請求項６】
前記リリース部材は、前記給紙トレイの前記側板の外側面に配設され、前記リリースギアの回転中心から所定寸法離れた前記操作レバーの一端部には、前記圧接板の前記一端部側を前記底板側に移動操作可能な操作ピンが形成され、前記給紙トレイの前記側板には、前記操作ピンが挿通した状態で回動可能な円弧状の溝が形成されていることを特徴とする請求項５記載のプリンタの給紙機構。
【請求項７】
前記一側面を開く前記給紙トレイの前記回動操作に連動して、前記固定ギアに噛み合う前記リリースギアが所定角度回転し、このリリースギアの回転で前記操作ピンが前記圧接板を前記底板側に移動操作すると共に、前記圧接板が前記操作ピンによって前記ロック状態となることを特徴とする請求項６記載のプリンタの給紙機構。
【請求項８】
前記給紙トレイは、前記回動操作を行って前記プリンタの一側面を閉じると、前記プリンタにスナップ係支されて動きが規制されるようになっていることを特徴とする請求項１乃至７の何れか１項に記載のプリンタの給紙機構。
【発明の詳細な説明】
【技術分野】
【０００１】
本発明は、プリンタの給紙機構に係わり、給紙トレイに記録用紙を確実に収納することができると共に、給紙トレイに収納した記録用紙を給紙ローラで分離して印刷部に搬送可能なプリンタの給紙機構に関する。
【背景技術】
【０００２】
従来のプリンタの給紙機構を特許文献１に基づいて図５に基づいて説明すると、複数枚の記録用紙３０がホッパフレーム３１に一体形成した給紙トレイ３１ａに収納されている。
そして、記録用紙３０を給紙開始する前の初期状態においては、記録用紙３０が給紙ローラ３２から離間している。このような初期状態においては、ローラ軸３３に固着した解除カム３４によって、記録用紙３０の前端部３０ａ側を載置した載置台３５が、コイルバネ（図示せず）の付勢力に抗して下方に押し下げられている。前記給紙ローラ３２を軸支したローラ軸３３は、両端部側がホッパフレーム３１の側板３１ｂに支持されて回転可能になっていると共に、一端部に係合したドライブギア３６に駆動源の回転が伝達されて回転可能になっている。
【０００３】
前記初期状態におけるドライブギア３６を矢印Ａの時計回り方向に回転駆動すると、解除カム３４も同方向に回転し、載置台３５に加えられていた押し下げ力が解除されて、載置台３５が上昇する。このことにより、記録用紙３０が上昇して給紙ローラ３２に圧接するようになっている。
そして、ローラ軸３３は継続して回転するが回転可能な給紙ローラ３２は、所定の間、回転しないようになっている。
【０００４】
前記ローラ軸３３には、アイドルギア３７が固着されており、このアイドルギア３７には、ギアホルダ３８に回転自在に支持した第１ギア３８ａが噛み合っている。また、第１ギア３８ａには、第２ギア３８ｂが一体形成され、この第２ギア３８ｂは、紙送りローラ３２に形成した駆動ギア３２ａに噛み合っている。
そして、第１、第２ギア３８ａ、３８ｂには、所定の角度範囲で欠歯部（図示せず）が形成されている。
そのために、給紙ローラ３２は、ローラ軸３３の回転でアイドルギア３７が回転しても、第１、第２ギア３８ａ、３８ｂの欠歯部によって、所定の間（給紙ローラ３２に記録用紙３０が完全に圧接されるまでの間）、ローラ軸３３の回転が伝達されない構造になっている。
【０００５】
前記アイドルギア３７が回転開始してから所定の間をすぎると、第１、第２ギア３８ａ、３８ｂが回転開始し、ローラ軸３３の矢印Ａ方向の回転が給紙ローラ３２に伝達される。
そして、給紙ローラ３２が矢印Ａ方向に回転開始すると、載置台３５に載置された最上位の記録用紙３０が分離されて、ペーパーガイド３９とホッパーガイド３１ｃとの間を通過して印刷部（図示せず）側に給紙される。
【０００６】
その後、駆動ギア３２ａに対する第２ギア３８ｂの噛み合いが外れて給紙ローラ３２に対する回転力の伝達が切断されるが、記録用紙３０は、プリンタ（図示せず）側の紙送りローラ（図示せず）によって牽引されて、印刷部に給紙されるようになっている。
この時の給紙ローラ３２は、紙送りローラに牽引される記録用紙３０によって従動回転するようになっている。
その後、ドライブギア３６が、更に矢印Ａ方向に回転することで、解除カム３４が載置台３５を図示下方に押し下げて、記録用紙３０が給紙ローラ３２から離間するようになっている。
このような従来のプリンタの紙送り機構は、ホッパーガイド３１ｃがプリンタ側に着脱可能になっており、プリンタを運搬するときは、紙送り機構を分離できるようになっている。
【特許文献１】特開平１１−３０１８５８号公報
【特許文献２】特開平  ５−２２１０５２号公報
【発明の開示】
【発明が解決しようとする課題】
【０００７】
しかし、図５に示すような従来のプリンタの給紙機構は、プリンタを携帯して運搬する時に、プリンタから着脱しなければならず、着脱操作がわずらわしかった。また、記録用紙３０に画像印刷する場合に、プリンタと給紙機構との両方を設置するための広い設置スペースが必要となり、スペース効率が悪くなる問題があった。
また、給紙トレイ３１ａの上方が開放されているために、給紙トレイ３１ａに収納した記録用紙３０に埃等が付着するおそれがあった。
本発明は、前述したような課題を解決するためになされたもので、運搬時にプリンタから着脱しなくても良く操作性が優れていると共に、スペース効率に優れたプリンタの給紙機構を提供することを目的とする。
【課題を解決するための手段】
【０００８】
前記課題を解決するための第１の手段として本発明に関するプリンタの給紙機構は、複数枚の記録用紙を収納可能な給紙トレイと、この給紙トレイに収納した前記記録用紙をプリンタ側の給紙ローラに圧接可能な圧接板とを備え、
前記給紙トレイは、前記給紙ローラが位置する前記プリンタの一側面側に形成した支持部に支持されて、前記プリンタの一側面を開閉する方向に前記給紙トレイが前記支持部を支点として回動操作可能になっていることを特徴とする。
また、前記課題を解決するための第２の手段として、前記給紙トレイは、前記記録用紙を内部の収納部に挿入可能な用紙挿入口が底板と上板と側板とに囲まれて形成され、前記圧接板は、前記給紙ローラと対向する一端部側が前記収納部に配設した弾性部材により前記給紙ローラ側に弾性付勢されると共に、他端部側が前記用紙挿入口近傍の前記底板に回動自在に片持ち支持され、前記給紙トレイは、前記プリンタの一側面を開く前記回動操作に連動して、前記圧接板の前記一端部側が前記弾性部材の付勢力に抗して前記底板側に移動し、前記一側面を閉じる前記回動操作に連動して、前記圧接板が前記弾性部材の付勢力で前記給紙ローラ側に移動することを特徴とした。
【０００９】
また、前記課題を解決するための第３の手段として、前記給紙トレイには、前記圧接板を前記弾性部材の付勢力に抗して底板側に移動操作可能なリリース部材が配設され、前記一側面を開く前記給紙トレイの前記回動操作に連動して、前記リリース部材が前記圧接板を前記底板側に移動操作することを特徴とする。
また、前記課題を解決するための第４の手段として、前記給紙トレイの底板側に移動した前記圧接板は、前記リリース部材によって動きが規制されてロック状態となることを特徴とする。
【００１０】
また、前記課題を解決するための第５の手段として、前記リリース部材は、前記プリンタ側に固着した固定ギアに噛み合うリリースギアを有し、このリリースギアは、前記給紙トレイの前記側板に回転自在に支持されると共に、前記圧接板を前記底板側に移動操作可能な操作レバーが一体形成されていることを特徴とする。
また、前記課題を解決するための第６の手段として、前記リリース部材は、前記給紙トレイの前記側板の外側面に配設され、前記リリースギアの回転中心から所定寸法離れた前記操作レバーの一端部には、前記圧接板の前記一端部側を前記底板側に移動操作可能な操作ピンが形成され、前記給紙トレイの前記側板には、前記操作ピンが挿通した状態で回動可能な円弧状の溝が形成されていることを特徴とする。
【００１１】
また、前記課題を解決するための第７の手段として、前記一側面を開く前記給紙トレイの前記回動操作に連動して、前記固定ギアに噛み合う前記リリースギアが所定角度回転し、このリリースギアの回転で前記操作ピンが前記圧接板を前記底板側に移動操作すると共に、前記圧接板が前記操作ピンによって前記ロック状態となることを特徴とする。
また、前記課題を解決するための第８の手段として、前記給紙トレイは、前記回動操作を行って前記プリンタの一側面を閉じると、前記プリンタにスナップ係支されて動きが規制されるようになっていることを特徴とする。
【発明の効果】
【００１２】
本発明のプリンタの給紙機構における給紙トレイは、給紙ローラが位置するプリンタの一側面側に形成した支持部に支持されて、プリンタの一側面を開閉する方向に給紙トレイが支持部を支点として回動操作可能になっているので、プリンタを携帯して運搬するときに、給紙トレイも一緒に運搬することができ、従来例のような着脱の煩わしさがない携帯性に優れたプリンタの給紙機構を提供できる。
また、プリンタの一側面側に給紙トレイを配設したので、設置スペースを狭くすることができスペース効率が良い。
また、給紙トレイは、プリンタの一側面を一側面を開く回動操作に連動して、圧接板の一端部側が弾性部材の付勢力に抗して底板側に移動し、一側面を閉じる回動操作に連動して、圧接板が弾性部材の付勢力で給紙ローラ側に移動するので、給紙トレイを開閉する回動操作に連動して圧接板を移動操作でき、操作性に優れている。また、印刷中の給紙トレイは、プリンタの一側面によって上板側が塞がれて、埃等が内部の収納部に侵入するのを防止できる。
【００１３】
また、給紙トレイには、圧接板を弾性部材の付勢力に抗して底板側に移動操作可能なリリース部材が配設され、プリンタの一側面を開く給紙トレイの回動操作に連動して、リリース部材が圧接板を底板側に移動操作するので、操作性に優れたプリンタの給紙機構を提供できる。
また、給紙トレイの底板側に移動した圧接板は、リリース部材によって動きが規制されてロック状態となるので、給紙トレイに挿入する記録用紙の挿入作業が容易である。
【００１４】
また、リリース部材は、プリンタ側に固着した固定ギアに噛み合うリリースギアを有し、このリリースギアは、給紙トレイの側板に回転自在に支持されると共に、圧接板を底板側に移動操作可能な操作レバーが一体形成されているので、操作レバーによって圧接板を確実に移動操作することができる、
また、リリース部材は、給紙トレイの側板の外側面に配設され、リリースギアの回転中心から所定寸法離れた操作レバーの一端部には、圧接板の一端部側を底板側に移動操作可能な操作ピンが形成され、給紙トレイの側板には、操作ピンが挿通した状態で回動可能な円弧状の溝が形成されているので、更に確実に圧接板を移動操作することができる。
【００１５】
また、一側面を開く給紙トレイの回動操作に連動して、固定ギアに噛み合うリリースギアが所定角度回転し、このリリースギアの回転で操作ピンが圧接板を底板側に移動操作すると共に、圧接板が操作ピンによってロック状態となるので、記録用紙を給紙トレイに挿入するときの作業性が良い。
また、給紙トレイは、回動操作を行ってプリンタの一側面を閉じると、プリンタにスナップ係支されて動きが規制されるようになっているので、プリンタを携帯して運搬するときに、給紙トレイがプリンタから外れるのを防止でき、携帯性に優れている。
【発明を実施するための最良の形態】
【００１６】
以下に、本発明の紙送り機構を図面に基づいて説明する。図１は本発明のプリンタの給紙機構を説明する要部断面図であり、図２は本発明のプリンタの給紙機構の動作を説明する側面図であり、図３は本発明のプリンタの給紙機構の動作を説明する要部断面図であり、図４は給紙ローラの動作を説明する要部拡大図である。
【００１７】
まず、本発明のプリンタの給紙機構を図１〜図３に基づいて説明すると、複数枚の記録用紙Ｋを積層して収納可能な給紙トレイ１が配設されている。
この給紙トレイ１は、複数枚の記録用紙Ｋを収納可能な収納部１ａが底板１ｂと上板１ｃと側板１ｄとに囲まれて、図示右側が開放された用紙挿入口１ｅが形成されている。前記上板１ｃは、後述する給紙ローラ６が対向する側が開放されて、後述する圧接板２上に載置した記録用紙ＫがプリンタＰ側の給紙ローラ６に圧接可能になっている。また、側板１ｄの図示左寄りには、円弧状の溝１ｆが形成されている。
このような給紙トレイ１は、後述する給紙ローラ６近傍のプリンタＰ側に支持可能な支持部（図示せず）が、側板１ｄの一方側（図示左側）に形成されていると共に、他方側（図示右側）に用紙挿入口１ｅが形成されている。
【００１８】
そして、後述する給紙ローラ６が位置するプリンタＰの一側面Ｐ１側に取り付けた給紙トレイ１は、プリンタＰの一側面Ｐ１を開閉する方向に前記支持部を支点として用紙挿入口１ｅ側が回動操作可能になっている。
前記給紙トレイ１は、支持部を支点としてプリンタＰの一側面Ｐ１を閉じる方向に回動すると、プリンタＰにスナップ係支されて動きが規制されるようになっている。
【００１９】
また、給紙トレイ１の収納部１ａ内で底板１ｂ上には、板状の圧接板２が配設されており、この圧接板２は、後述する給紙ローラ６と対向する図示左側の一端部２ａ側が、収納部１ａに配設したコイルバネ等からなる弾性部材３により給紙ローラ６側に弾性付勢されると共に、図示右側の他端部２ｂが用紙挿入口１ｅ近傍の底板１ｂに回動自在に片持ち支持されている。
そして、圧接板２上に載置する複数枚の記録用紙Ｋは、印刷面が下向きとなって給紙トレイ１に収納されている。
【００２０】
また、給紙トレイ１の側板１ｄには、図２に示すように、圧接板２を弾性部材３の付勢力に抗して底板１ｂ側に移動操作可能なリリース部材４が配設されている。前記リリース部材４は、所定の数の歯山が全周に形成されたリリースギア４ａを有し、このリリースギア４ａは、給紙トレイ１の側板１ｄの外側面に回転自在に支持されると共に、圧接板２を弾性部材３の付勢力に抗して移動操作可能な操作レバー４ｂが一体形成されている。
【００２１】
前記操作レバーは、リリースギア４ａの回転中心から所定寸法離れた図２に示す下部側の一端部に、圧接板２の一端部２ａ側を押圧して底板１ｂ側に移動操作可能な操作ピン４ｃが立設されている。
前記操作ピン４ｃは、給紙トレイ１の側板１ｄに形成した円弧状の溝１ｆを挿通して回動可能になっている。
また、プリンタＰ側には、リリースギア４ａが噛み合い可能な複数の歯山５ａを、所定角度の円弧状の外周部に形成した固定ギア５が固着されている。
前記固定ギア５の複数の歯山５ａは、支持部を支点として給紙トレイ１を回動操作する時のリリースギア４ａの歯山が、干渉、あるいはバックラッシュ等が発生しないように形成されている。
【００２２】
そのために、リリース部材４は、図２に示すように、給紙トレイ１をプリンタＰの一側面Ｐ１を開く（矢印Ｂ方向）回動操作に連動して、固定ギア５に噛み合うリリースギア４ａ、及び操作レバー４ｂが時計回り方向に回転する。このことにより、操作ピン４ｃが圧接板２を弾性部材３の付勢力に抗して押し下げて、図３に示すように、圧接板２の一端部２ａが底板１ｂ側に移動するようになっている。即ち、給紙トレイ１は、プリンタＰの一側面を閉じた状態から一側面Ｐ１を開く回動操作に連動して、圧接板２の一端部２ａ側が弾性部材３の付勢力に抗して底板１ｂ側に移動するようになっている。
【００２３】
そして、図３に示すように、リリース部材４により圧接板２を底板１ｂ側に移動操作して、リリースギア４ａの回転中心と操作ピン４ｃとを結ぶ線が圧接板２に対して垂直状になって操作ピン４ｃが下死点に位置した状態で、矢印Ｂ方向への給紙トレイの回動操作を停止しても、底板１ｂ側に移動した圧接板２は、動きが規制されてロック状態となる。
また、給紙トレイ１をプリンタＰの一側面Ｐ１を閉じる（矢印Ｃ方向）回動操作に連動して、固定ギア５に噛み合うリリースギア４ａ、及び操作レバー４ｂが反時計回り方向に回転する。このことにより、弾性部材３の付勢力で圧接板２の一端部２ａ側が後述する給紙ローラ６側に上昇し、これに伴って操作ピン４ｃが図１に示すように上死点に位置する。
そして、圧接板２上に載置した記録用紙Ｋが給紙ローラ６に圧接可能になっている。
【００２４】
また、プリンタＰ側には、圧接板２上に載置した複数枚の記録用紙Ｋを分離して後述する印刷部１８に給紙可能な給紙ローラ６が配設されている。
前記給紙ローラ６は、図４に示すように、外周面が高摩擦係数のゴム部材等からなり、このゴム部材等が金属からなる回転軸６ａに成形加工等で固着されている。前記給紙ローラ６は、樹脂材料等からなるホルダー部材７の図示左側の一端部側に回転可能に支持されている。
また、ホルダー部材７には、一端部側（図示左側）に給紙ローラ６を回転可能に支持するローラ支持部７ａが形成され、回動支持部７ｂがプリンタＰ側の支持部８に回動可能に支持されている。
【００２５】
また、ホルダー部材７は、回動支持部７ｂに捻りコイルバネ９が掛け止めされて、常時、矢印Ｄの反時計回り方向に弾性付勢されている。
また、ホルダー部材７の他端部（図示右端部）には回動操作部７ｃが形成され、この回動操作部７ｃ近傍のプリンタＰ側の支持部８には、板状のホルダー操作部材１０が配設され、このホルダー操作部材１０を所定の上昇位置に上昇させると、捻りコイルバネ９に弾性付勢されたホルダー部材７は、回動支持部７ｂを支点として矢印Ｄの反時計回り方向に回動するようになっている。
このことによって、所定位置まで上昇させた圧接板３に載置した最上部の記録用紙Ｋに、給紙ローラ６が圧接可能になっている。
【００２６】
また、ホルダー操作部材１０を上昇位置から所定の降下位置まで降下させると、ホルダー部材７は、捻りコイルバネ９の付勢力に抗して、回動支持部７ｂを支点として回動操作部７ｃが矢印Ｅ方向の時計回り方向に回動するようになっている。
このことによって、記録用紙Ｋに圧接していた給紙ローラ６が、記録用紙Ｋから所定量離間した待避位置に位置するようになっている。
また、給紙ローラ６の回転軸６ａには、駆動源（図示せず）であるモータ等の回転が伝達可能な伝達ギア（図示せず）が軸止され、回動支持部７ｂには、伝達ギアに噛み合う回転自在のアイドルギアＧ１が軸支されている。
そして、駆動源の回転がアイドルギアＧ１を介して伝達ギアに伝達されて、給紙ローラ６が矢印Ｇの時計回り方向に回転可能になっている。
前記給紙ローラ６が矢印Ｇ方向に回転する状態で支持したホルダー部材７を、矢印Ｄの反時計回り方向に回動させると、上昇位置にある圧接板２上に載置した記録用紙１に給紙ローラ６が圧接して、最上位の１枚の記録用紙１を分離して矢印Ｈ方向に給紙可能になっている。
また、記録用紙１を矢印Ｈ方向に給紙時の給紙ローラ６には、最上位の記録用紙１を次の記録用紙１から分離する時の所定の分離荷重が付加されるようになっている。
【００２７】
また、本発明のプリンタの給紙機構には、矢印Ｄの反時計回り方向に回動するホルダー部材７のローラ支持部７ａを位置決め可能な、金属板等からなるストッパ部材１２が配設されている。
前記ストッパ部材１２には、ホルダー部材７のローラ支持部７ａを受け止め可能なホルダー受け部１２ａが形成され、このホルダー受け部１２ａに、矢印Ｄ方向に回動したホルダー部材７のローラ支持部７ａが位置決めされるようになっている。
また、ホルダー部材７が矢印Ｆの時計回り方向に回動することで、ローラ支持部７ａがホルダー支持部１２ａから所定量離間するようになっている。
【００２８】
前記ストッパ部材１２は、金属板からなるので、若干量弾性変形可能になっており、ホルダー部材７を矢印Ｄの反時計回り方向に回動させて、給紙トレイ１から分離する時の給紙ローラ６に加わる記録用紙１の分離荷重が所定値以上になると、ストッパ部材１２が記録用紙１側に若干量弾性変形するようになっている。
このことにより、給紙ローラ６に加わる１枚目の記録用紙１と、次の２枚目の記録用紙１との間の分離荷重が大きい場合は、ストッパ部材１２が若干量弾性変形して、給紙ローラ６が最上位の１枚目の記録用紙１に喰い込んで、分離荷重の大きな記録用紙１を確実に分離して後述する印刷部１８側に給紙可能になっている。
【００２９】
また、プリンタＰには、給紙ローラ６で給紙トレイ１から分離して矢印Ｈ方向に給紙される１枚目の記録用紙１を後述する印刷部１８に導くための略Ｕ字状の給紙経路１３が形成され、この給紙経路１３の途中には、給排紙ローラ１４と、この給排紙ローラ１４に圧接する従動ローラ１５とが配設されている。
そして、矢印Ｈ方向に給紙中の記録用紙１は、略Ｕ字状の給紙経路１３によって、給紙方向が反転して矢印Ｊ方向に搬送されるようになっている。
このような略Ｕ字状の給紙経路１３を搬送される記録用紙１は、印刷面が下向きになった状態から給紙経路１３で、印刷面が上向きとなるように反転されて、後述する印刷部１８に給紙されるようになっている。
【００３０】
また、給排紙ローラ１４と従動ローラ１５とで矢印Ｊ方向に給紙される記録用紙１は、第１紙送りローラ１６と第１圧接ローラ１７との間に圧接挟持され、第１紙送りローラ１６の時計回り方向の回転で、図示右方向の下流側の印刷部１８に給紙される。
前記印刷部１８は、矢印Ｊ方向に給紙される記録用紙１を支持可能で、回転自在、あるいは回転駆動可能なプラテンローラ１９と、このプラテンローラ１９と対向する上方に、プラテンローラ１９に対して接離（ヘッドアップ／ダウン）可能なサーマルヘッド２０とが配設されている。
【００３１】
前記サーマルヘッド２０は、ヘッド取付台２１に取り付けされ、このヘッド取付台２１が放熱性に優れたヘッドレバー２２の一端部側に取り付けられている。
前記ヘッドレバー２２は、回動軸２３を支点として回動可能になっており、ヘッドレバー２２を回動駆動することで、サーマルヘッド２０がヘッドアップ／ダウン可能になっている。
また、プラテンローラ１９とサーマルヘッド２０との間には、下面側に所望の色のインクが塗布されたインクリボン（図示せず）が引き回しされている。
【００３２】
前述したような本発明の給紙機構を用いたプリンタＰの印刷動作を説明すると、まず、プリンタＰの一側面Ｐ１を閉じた状態の給紙トレイ１を、手作業で一側面Ｐ１を開く（矢印Ｂ方向）回動操作を行うと、この回動操作に連動してリリースギア４が時計回り方向に回転し操作ピン４ｃが下死点に位置する。すると、操作ピン４ｃに押圧された圧接板２が底板１ｂ側に移動して、収納部１ａが開放され、用紙挿入口１ｅから複数枚の記録用紙Ｋを収納部１ａに挿入する。
その後、給紙トレイ１をプリンタＰの一側面Ｐ１を閉じる（矢印Ｃ方向）回動操作に連動して、操作ピン４ｃが上死点に位置し、圧接板２の一端部２ａ側が給紙ローラ６側に移動して上昇位置となる。
【００３３】
この時の給紙ローラ６は、上昇位置にある圧接板２に載置した複数枚の記録用紙１から所定量上方に離間した待避位置に位置している。
そして、給紙ローラ６が記録用紙Ｋから離間した初期状態において、給紙ローラ６の駆動源を回転駆動すると、給紙ローラ６が矢印Ｇの時計回り方向に回転開始する。同時に、ホルダー部材７が捻りコイルバネ９の付勢力で矢印Ｄの反時計回り方向に回動して、給紙ローラ６が、図４に示すように、圧接板２上に載置した最上位の記録用紙１に圧接する。
すると、給紙ローラ６の矢印Ｇ方向の回転により、最上位の１枚の記録用紙１が、次の記録用紙１から分離されて、矢印Ｈ方向への給紙が開始される。
【００３４】
前記矢印Ｈ方向に給紙される記録用紙１は、図１に示すように、略Ｕ字状の給紙経路１３を搬送され前端部が、矢印Ｈの給紙方向における給紙ローラ６より下流側に配設した給排紙ローラ１４と従動ローラ１５とに挟持されて、給排紙ローラ１４の時計回り方向の回転で矢印Ｊの下流側に給紙搬送される。
そして、給紙ローラ６により、次の記録用紙１から分離された最上位の１枚の記録用紙１の後端部が、給紙ローラ６から外れると、捻りコイルバネ９の付勢力に抗してホルダー部材７が時計回り方向に回動する。
【００３５】
このことにより、給紙トレイ１に収納した次の記録用紙１に対する給紙ローラ６の圧接が解除されて、給紙ローラ６が所定の待避位置まで待避する。
この時のホルダー部材７のローラ支持部７ａと、ストッパ部材１２のホルダー受け部１２ａとの間には、所定寸法の隙間が形成されるようになっている（図示せず）。
また、給紙ローラ６が待避位置まで待避したときの圧接板２は、上死点に位置するリリース部材４の操作ピン４ｃによって、上昇が規制されるようになっている。
【００３６】
また、給排紙ローラ１４と従動ローラ１５とに挟持されて矢印Ｊの下流側に給紙搬送される記録用紙Ｋの前端部は、第１の紙送りローラ１６と圧接ローラ１７との間に圧接挟持され、時計回り方向に回転する第１紙送りローラ１６により、矢印Ｊ方向に搬送される。
前記記録用紙Ｋの前端部は、印刷部１８を構成するプラテンローラ１９上を通過して、印刷部１８の図示右側に配設した第２の紙送りローラ２４と圧接ローラ２５との間に圧接挟持され、時計回り方向に回転する第２紙送りローラ２４により、更に矢印Ｊ方向に搬送される。        
【００３７】
その後、矢印Ｊ方向に搬送される記録用紙Ｋは、後端部が第１の紙送りローラ１６と圧接ローラ１７との間から外れて、第２の紙送りローラ２４と圧接ローラ２５とで、更に矢印Ｊ方向に搬送される。    
そして、プラテンローラ１９上に配設した用紙センサ（図示せず）が、記録用紙Ｋの後端部を検出すると、記録用紙Ｋの頭出しが行われて、第１、第２紙送りローラ１６、２４の回転が停止する。
すると、サーマルヘッド２０がヘッドダウンすると共に、第１、第２紙送りローラ１６、２４が反転して反時計回り方向に回転することで、記録用紙Ｋが矢印Ｊと反対方向に搬送されて、記録用紙Ｋの後端部からインクリボンのインクが熱転写、または昇華転写されて、記録用紙の１の印刷面に所望の画像が印刷される。
前記画像印刷中の記録用紙Ｋは、後端部が印刷部１８から矢印Ｊと反対方向の上流側に搬送されて第１の紙送りローラ１６と圧接ローラ１７との間に圧接挟持されて、矢印Ｊと反対方向に搬送される。
【００３８】
そして、第２の紙送りローラ２４と圧接ローラ２５との圧接が外れた印刷中の記録用紙Ｋの前端部が、印刷部１８まで搬送されると、記録用紙Ｋの後端部から前端部までの全面に画像印刷される。同時に、用紙センサ（図示せず）が上流側に搬送される記録用紙Ｋの前端部を検出する。
すると、サーマルヘッド２０がヘッドアップして記録用紙Ｋに対する画像印刷が終了する。
そして、画像印刷が終了下記録用紙Ｋは、第１紙送りローラ１６の反時計回り方向の回転で矢印Ｊと反対方向に搬送されて、反時計回り方向に回転する給排紙ローラ１４によって、プリンタＰの外部に排紙される。
【００３９】
前記印刷が終了した記録用紙Ｋが、給排紙ローラ１４によってプリンタＰの外部に排紙されるまでは、給紙ローラ６が次の記録用紙Ｋから所定の待避位置に待避した状態になっている。
そして、記録用紙ＫがプリンタＰの外部に排紙された後、記録用紙Ｋに同じ画像を連続印刷する場合は、ホルダー部材７が矢印Ｄの反時計回り方向に回動して、待避位置にある給紙ローラ６が降下して次の記録用紙Ｋに圧接し、次の記録用紙Ｋを給紙トレイ１から分離して印刷部１８に給紙するようになっている。
【００４０】
また、記録用紙Ｋに印刷する画像がカラー画像の場合は、前述したような印刷動作で１色目の画像を記録用紙Ｋに印刷後、第１、第２紙送りローラ１６、２４を時計回り方向に回転させて、記録用紙Ｋを図示右方向の下流側にバックフィードする。
このバックフィード中に、記録用紙Ｋの後端部が印刷部１８に位置したことを用紙センサが検出すると、サーマルヘッド２０をヘッドダウンさせると共に、第１、第２紙送りローラ１６、２４を反時計回り方向に反転して記録用紙Ｋを矢印Ｊと反対方向に搬送する。
このことにより、１色目の画像の上に２色目のインクリボンのインクが重ね印刷されて２色目の画像が形成される。
その後、１色目、２色目の画像印刷と同様の動作を繰り返して、２色目の画像の上に３色目の画像を重ね印刷し、所望のカラー画像を印刷することができる。
【００４１】
このような本発明のプリンタの給紙機構は、プリンタＰを携帯して運搬するときに、従来例のように着脱しなくても良く、操作性に優れている。
また、プリンタＰの一側面Ｐ１に給紙トレイ１を取り付けることで、設置スペースがプリンタＰの大きさと同じにすることができ、スペース効率が良い。更に、給紙トレイ１の上方がプリンタＰで覆われているので、収納部１ａ内に埃等の異物が侵入するのを防止できる。
尚、本発明の給紙機構を用いたプリンタＰは、横置きにしたもので説明したが、給紙トレイ１の用紙挿入口１ｅを上向きにした縦置きにしても良い。
また、プリンタＰを縦置きにすることで、給紙トレイ１の用紙挿入口１ｅから挿入した記録用紙Ｋは、自重で収納部１ａ内部に落下するので無理なくスムーズに収納することができる。
【図面の簡単な説明】
【００４２】
【図１】本発明のプリンタの給紙機構を説明する要部断面図である。
【図２】本発明のプリンタの給紙機構の動作を説明する側面図である。
【図３】本発明のプリンタの給紙機構の動作を説明する要部断面図である。
【図４】本発明に係わる給紙ローラの動作を説明する要部拡大図である。
【図５】従来のプリンタの給紙機構を説明する斜視図である。
【符号の説明】
【００４３】
１  給紙トレイ
１ａ  収納部
１ｂ  底板
１ｃ  上板
１ｄ  側板
１ｅ  用紙挿入口
１ｆ  溝
２  圧接板
３  コイルバネ
４  リリース部材
４ａ  リリースギア
４ｂ  操作レバー
４ｃ  操作ピン
５  固定ギア
５ａ  歯山
６  給紙ローラ
６ａ  回転軸
７  ホルダー部材
７ａ  ローラ支持部
７ｂ  回動支持部
７ｃ  回動操作部
１０  ホルダー操作部材
１３  給紙経路
１４  給排紙ローラ
１５  従動ローラ
１６  第１紙送りローラ
１７  第１圧接ローラ
１８  印刷部
１９  プラテンローラ
２０  サーマルヘッド
２４  第２紙送りローラ
２５  第２圧接ローラ
【図１】
2007063004.tif 000003
【図２】
2007063004.tif 000004
【図３】
2007063004.tif 000005
【図４】
2007063004.tif 000006
【図５】
2007063004.tif 000007